(57)【要約】【課題】単純な回路構成により読み取る原稿画像のサイズを検知する画像読取装置を提供する。【解決手段】ＣＣＤラインセンサ３５により読み取ったＲＧＢ表色系の１ラインの画像データから、抽出部３９により例えばＧ成分を抽出する。抽出した１ライン分のＧ成分について、所定数毎に区分し、各区分におけるＧ成分の平均値を平均値算出部４０により算出する。また、算出された平均値について、１ライン中の隣り合う平均値同士の差分値を差分算出部４１により算出し、算出された差分値に基づき、サイズ決定部４２により原稿のサイズを検知する。【選択図】        図３
2004159003.tif 000002
【特許請求の範囲】
【請求項１】
原稿画像を読み取り、取得した複数の色成分を有する画像データに基づき、前記原稿画像のサイズを検知する画像読取装置において、
取得した画像データから、所定の色成分を抽出する抽出手段と、
該抽出手段により抽出された色成分に基づき、前記原稿画像のサイズを検知する検知手段とを備えることを特徴とする画像読取装置。
【請求項２】
原稿画像を読み取り、取得した複数の色成分を有する画像データに基づき、前記原稿画像のサイズを検知する画像読取装置において、
取得した画像データを、輝度成分及び色差成分を有する画像データに変換する変換手段と、
該変換手段により変換された画像データの輝度成分に基づき、前記原稿画像のサイズを検知する検知手段とを備えることを特徴とする画像読取装置。
【請求項３】
前記変換手段により変換された画像データの色差成分に基づき、前記取得した画像データが、カラー画像データであるかモノクローム画像データであるかを判別する判別手段を備えることを特徴とする請求項２に記載の画像読取装置。
【発明の詳細な説明】
【０００１】
【発明の属する技術分野】
本発明は、原稿画像を読み取り、取得した複数の色成分を有する画像データに基づき、前記原稿画像のサイズを検知する画像読取装置に関するものである。
【０００２】
【従来の技術】
近年、ファクシミリ装置にプリンタ機能を搭載した複合機が普及しており、このような装置においては、プリンタ機能の拡張に伴い、カラー複写機能及びカラーファクシミリ通信機能等も搭載されつつある。
このような複合機における画像読取装置は、ガラス製の載置台上に載置された原稿に光を照射する光源、原稿からの反射光の光路を変更するミラー、前記光源及びミラーを移動させる移動機構、光電変換素子であるＣＣＤ（Ｃｈａｒｇｅ  Ｃｏｕｐｌｅｄ  Ｄｅｖｉｃｅ  ）を主走査方向に多数並べ、集光レンズを通してミラーからの光が入射されるＣＣＤラインセンサ等を備えており、光源等を搭載した移動機構を前記載置台に沿って、副走査方向に移動させながら、主走査方向を長手方向とするＣＣＤラインセンサ（主走査方向と平行に配置されたＣＣＤラインセンサ）により１ラインずつ原稿画像の読み取りを行うように構成されている。
【０００３】
一方、上述のような複合機におけるプリンタ装置においては、給紙カセットに用意された複数の異なるサイズの記録紙から、適切なサイズを選択して印刷を行うために、読み取られる原稿画像のサイズを検知することが望まれており、原稿サイズ検知センサ等を載置台の近傍に配置させ、この原稿サイズ検知センサにより原稿画像のサイズを検知する装置がある。
また、原稿画像を読み取り、取得した画像データに基づき、原稿画像が有する複数画素夫々の明度成分を算出し、算出された各画素の明度成分に基づき、原稿画像のサイズを検知する装置もある（例えば、特許文献１参照）。
【０００４】
【特許文献１】
特開２０００−１０１８３２号公報
【０００５】
【発明が解決しようとする課題】
しかし、上述したように原稿サイズ検知センサを備えた装置においては、装置の構成が複雑となり、装置の製造コストも高くなるという問題があった。
また、原稿画像から取得した画像データに基づき算出された各画素夫々の明度情報から、原稿画像のサイズを検知する装置においては、各画素に対応する明度成分を順次算出する必要があり、各画素の明度成分の算出処理時間が必要である。更に、例えば、ＲＧＢ表色系の画像データに基づき、各画素の明度成分を算出する場合のパラメータの設定が困難であり、正確に原稿画像のサイズを検知することが困難であるという問題があった。
【０００６】
本発明は斯かる事情に鑑みてなされたものであり、読み取った複数の色成分を有する画像データから、所定の色成分を抽出し、抽出された色成分に基づき、原稿画像のサイズを検知することにより、原稿サイズ検知センサ等を別途に設ける必要がなく、単純な回路構成により迅速に原稿画像のサイズを検知する画像読取装置を提供することを目的とする。
【０００７】
本発明の他の目的は、取得した複数の色成分を有する画像データを、輝度成分及び色差成分を有する画像データに変換して得られた画像データの輝度成分に基づき、原稿画像のサイズを検知することにより、複数の色成分を有する画像データに対して煩雑な演算処理を施す必要がなく、変換して得られた画像データの輝度情報に基づき、原稿自体が有する地色等の色成分には依存せず、原稿画像のサイズを確実に検知する画像読取装置を提供することにある。
【０００８】
本発明の更に他の目的は、取得した複数の色成分を有する画像データを変換して得られた画像データの色差成分に基づき、取得した画像データが、カラー画像データであるかモノクローム画像データであるかを判別することにより、輝度成分に基づく原稿画像のサイズ検知処理のために生成された輝度成分及び色差成分を有する画像データに基づき、カラー画像であるかモノクローム画像であるかを判断する画像読取装置を提供することにある。
【０００９】
【課題を解決するための手段】
第１発明に係る画像読取装置は、原稿画像を読み取り、取得した複数の色成分を有する画像データに基づき、前記原稿画像のサイズを検知する画像読取装置において、取得した画像データから、所定の色成分を抽出する抽出手段と、該抽出手段により抽出された色成分に基づき、前記原稿画像のサイズを検知する検知手段とを備えることを特徴とする。
【００１０】
第１発明による場合は、読み取った複数の色成分を有する画像データから、所定の色成分を抽出し、抽出された色成分に基づき、原稿画像のサイズを検知することにより、原稿サイズ検知センサ等を別途に設ける必要がなく、複数の色成分を有する画像データに対して煩雑な演算処理を施す必要もなく、単純な回路構成により迅速に原稿画像のサイズを検知することができる。
【００１１】
第２発明に係る画像読取装置は、原稿画像を読み取り、取得した複数の色成分を有する画像データに基づき、前記原稿画像のサイズを検知する画像読取装置において、取得した画像データを、輝度成分及び色差成分を有する画像データに変換する変換手段と、該変換手段により変換された画像データの輝度成分に基づき、前記原稿画像のサイズを検知する検知手段とを備えることを特徴とする。
【００１２】
第２発明による場合は、取得した複数の色成分を有する画像データを、輝度成分及び色差成分を有する画像データに変換して得られた画像データの輝度成分に基づき、原稿画像のサイズを検知することにより、複数の色成分を有する画像データに対して煩雑な演算処理を施す必要がなく、変換して得られた画像データの輝度情報に基づき、原稿自体が有する地色等の色成分には依存せず、原稿画像のサイズを確実に検知することができる。
【００１３】
第３発明に係る画像読取装置は、第２発明に係る画像読取装置において、前記変換手段により変換された画像データの色差成分に基づき、前記取得した画像データが、カラー画像データであるかモノクローム画像データであるかを判別する判別手段を備えることを特徴とする。
【００１４】
第３発明による場合は、取得した複数の色成分を有する画像データを変換して得られた画像データの色差成分に基づき、取得した画像データが、カラー画像データであるかモノクローム画像データであるかを判別することにより、輝度成分に基づく原稿画像のサイズ検知処理のために生成された輝度成分及び色差成分を有する画像データに基づき、カラー画像であるかモノクローム画像であるかを判断することができ、以後の各処理をスムーズに実行することができる。
【００１５】
【発明の実施の形態】
以下に、本発明に係る画像読取装置を読取部とし、この読取部を備える複合機における実施の形態に基づいて詳述する。
（実施の形態１）
図１は本発明に係る読取部を備える複合機の構成を示すブロック図であり、図中１は複合機を示している。
この複合機１は、制御部１０，ＲＯＭ１１，ＲＡＭ１２，ＮＣＵ（Ｎｅｔｗｏｒｋ  Ｃｏｎｔｒｏｌ  Ｕｎｉｔ）１３，モデム１４，読取部３，表示部１５，操作部１６，第１画像メモリ１７，２値化処理部１８，第２画像メモリ１９，メモリ制御部２０，第１ＣＯＤＥＣ２１，第２ＣＯＤＥＣ２３，記録部２４等を備えており、夫々はシステムバス２５を介して相互に接続されている。
【００１６】
制御部１０は、具体的にはＣＰＵ（Ｃｅｎｔｒａｌ  Ｐｒｏｃｅｓｓｉｎｇ  Ｕｎｉｔ）  等で構成されており、システムバス２５を介して複合機１の上述したようなハードウェア各部を制御すると共に、ＲＯＭ１１に格納されたコンピュータプログラムに従って、種々のソフトウェア的機能を実現する。
ＲＯＭ１１は、本実施の形態に係る複合機１の動作に必要な種々のコンピュータプログラム、及びＡ３，Ｂ４，Ａ４，Ｂ５，Ａ５の各サイズの記録紙の主走査方向のサイズ幅を予め記憶している。
ＲＡＭ１２は、ＳＲＡＭ又はフラッシュメモリ等で構成され、制御部１０による各プログラムの実行時に発生するデータを一時的に記憶する。尚、ＲＡＭ１２にフラッシュメモリを使用した場合には、停電，複合機１の移動等のために電源が遮断された場合であっても、記憶内容が失われることはない。
【００１７】
モデム１４は、ファクシミリ通信が可能なファックスモデムで構成されており、ＮＣＵ１３と直接的にも接続されている。ＮＣＵ１３は、公衆電話回線網Ｌと接続されており、必要に応じてモデム１４を公衆電話回線網Ｌと接続し、公衆電話回線網Ｌを介して他のファクシミリ装置との間でのファクシミリ通信を可能としている。
表示部１５は、液晶ディスプレイ（ＬＣＤ）等で構成されており、複合機１の動作状況、操作部１６から入力された文字等を表示する。
操作部１６は、複合機１を操作するために必要な各種のファンクションキーを備えている。尚、表示部１５をタッチパネル方式のものとすることにより、操作部１６の各種のキーのうちの一部又は全部を代用することも可能である。
【００１８】
第１画像メモリ１７は、ＤＲＡＭ等により構成されており、後述する読取部３により読み取られ、所定の処理を施されたＲＧＢ（Ｒ：赤，Ｇ：緑，Ｂ：青）表色系の画像データを記憶する。
尚、第１画像メモリ１７には、各画素のＲ，Ｇ，Ｂ成分夫々を多値データで示した多値の画像データが記憶してあり、読取部３により読み取られた多値の画像データは、一旦第１画像メモリ１７に記憶される。
【００１９】
２値化処理部１８は、読取部３により読み取られたＲＧＢ表色系の多値の画像データを、例えば、ＣＭＹＫ（Ｃ：シアン，Ｍ：マゼンタ，Ｙ：イエロー，Ｋ：ブラック）表色系の画像データに変換すると共に、所定の閾値と比較することにより、２値の画像データに変換し、ＤＲＡＭ等により構成される第２画像メモリ１９に記憶する。
尚、本実施の形態の複合機１は、ユーザからの設定により、読取部３にて読み取った画像データを高解像度に変換する解像度変換機能も備えており、解像度変換機能の実行が指示された場合、２値化処理部１８は、上述したように、第１画像メモリ１７に記憶してあるＲＧＢ表色系の画像データを変換して得られたＣＭＹＫ表色系の画像データに対して解像度変換処理を行い、高解像度に変換されたＣＭＹＫ表色系の画像データに２値化処理を実行する。
【００２０】
第１ＣＯＤＥＣ２１は、読取部３により読み取られ、２値化処理部１８により２値の画像データに変換された画像データに対して、符号化処理を行い、符号化された画像データは、メモリ制御部２０の制御に従って、イメージバス２６を介して符号化画像メモリ２２に記憶される。
また、符号化画像メモリ２２に記憶してある画像データを記録紙等に記録する場合に、メモリ制御部２０の制御に従って、符号化画像メモリ２２から第２ＣＯＤＥＣ２３に読み出された画像データは、第２ＣＯＤＥＣ２３にて復号されて、一旦第２画像メモリ１９に記憶される。
【００２１】
記録部２４は、電子写真方式のプリンタ装置であって、記録すべく第２画像メモリ１９に記憶してある画像データを読み出し、読み出した画像データに基づく画像を、ハードコピーとしてＡ３縦，Ｂ４縦，Ａ４縦，Ｂ５横及びＡ５横等の各サイズの記録紙又はＯＨＰ（Ｏｖｅｒ  Ｈｅａｄ  Ｐｒｏｊｅｃｔｏｒ）  シートから最適なサイズのものを選択して記録する。
【００２２】
図２は本発明に係る読取部３を示す外観斜視図であり、この読取部３は、直方体型の筺体３１と、筺体３１上面の一辺に開閉自在に取り付けられたプラテンカバー３０と、筺体３１の上面に設けられた長方形型のガラス製の載置台３２と、筺体３１上面のプラテンカバー３０との連結部分近傍の適宜箇所に配置され、筺体３１の上面とプラテンカバー３０の下面とがなす角度θが所定角度以下となったことを検出する検出器３３とを備えている。
検出器３３は、押し込み型の自動復帰スイッチ等を用いており、プラテンカバー３０を閉じる途中で検出器３３が押下された場合、プラテンカバー３０が閉じられたことを示す検出信号を制御部１０に送出することにより、制御部１０にプラテンカバー３０が閉じられたことを報知する。尚、前記所定角度は、本等の厚みのある原稿が載置台３２上に載置され、プラテンカバー３０が閉じ切っていない場合でも、制御部１０に検出信号を送出するように設定されている。
【００２３】
筺体３１の内部には、図２に示すように載置台３２上に一隅を合わせて載置された原稿３２ａに光を照射する光源３４及び原稿３２ａからの反射光の光路を変更するミラー（図示せず）が搭載され、図２中の矢符ｙで示す副走査方向に移動が可能なキャリッジ（図示せず）と、ミラーからの反射光を集光レンズ（図示せず）を通して取得する複数のカラーＣＣＤ（Ｃｈａｒｇｅ  Ｃｏｕｐｌｅｄ  Ｄｅｖｉｃｅ）  により構成されるＣＣＤラインセンサ（図示せず）とを備えており、夫々の長手方向を図２中矢符ｘで示す主走査方向に平行に配置してある。
尚、制御部１０は、ユーザによりプラテンカバー３０が閉じられ、検出器３３から検出信号を取得した場合、光源３４を発光させるように構成してある。
【００２４】
上述の構成の読取部３は、ＦＢＳ（Ｆｌａｔ  Ｂｅｄ  Ｓｃａｎｎｅｒ）方式のスキャナによる画像の読み取りが可能であるが、ＡＤＦ（Ａｕｔｏｍａｔｉｃ  Ｄｏｃｕｍｅｎｔ  Ｆｅｅｄｅｒ）  方式のスキャナも備えることにより、プラテンカバー３０を閉じて、プラテンカバー３０上の図示しない原稿セット部に原稿束をセットし、１枚ずつ原稿を分離して取り込みながら読み取りを行うことも可能である。
【００２５】
ＦＢＳ方式のスキャナで原稿画像を読み取る場合は、プラテンカバー３０を開け、上述したように原稿３２ａを載置台３２上に載置し、プラテンカバー３０を閉じて、載置台３２上に原稿３２ａが静止した状態で読み取りを行う。
図３は実施の形態１の読取部３の構成を示すブロック図であり、この読取部３は、ＣＣＤラインセンサ３５，ＡＦＥ（Ａｎａｌｏｇ  Ｆｒｏｎｔ  Ｅｎｄ：アナログ・フロント・エンド）３６，シェーディング補正部３７，サイズ検知部（検知手段）３８等を備えている。
【００２６】
ＣＣＤラインセンサ３５は、原稿３２ａからの反射光像を、複数の色成分を有するＲＧＢ（Ｒ：赤，Ｇ：緑，Ｂ：青）表色系のアナログ信号に変換し、得られたアナログ信号による画像データをＡＦＥ３６に入力する。
ＡＦＥ３６は、増幅回路（図示せず），サンプルホールド回路（図示せず），Ａ／Ｄ（アナログ／デジタル）変換器（図示せず）等を備え、ＣＣＤラインセンサ３５から入力されたＲＧＢ表色系におけるＲ成分，Ｇ成分及びＢ成分夫々を示すアナログ信号を、増幅回路により所定の大きさに増幅し、この増幅されたアナログ信号を、サンプルホールド回路により一定のタイミング毎にサンプルホールドし、この各値をＡ／Ｄ変換器によりデジタル信号に変換する。
【００２７】
尚、本実施の形態においては、Ａ／Ｄ変換器は、例えば８ビットの多値のデジタル信号を出力しており、ＡＦＥ３６は、各画素のＲ成分，Ｇ成分及びＢ成分夫々を、８ビットの多値データで表した多値の画像データを出力して、シェーディング補正部３７に入力する。
シェーディング補正部３７は、入力されたＲＧＢ表色系の画像データに対して、読取部３における照明系，結像系及び撮像系で生じた各種の歪みを取り除く補正を行い、補正したＲＧＢ表色系の画像データを第１画像メモリ１７に記憶させる。
【００２８】
一方、シェーディング補正部３７から出力されるＲＧＢ表色系の画像データは、サイズ検知部３８にも入力されており、サイズ検知部３８は、取得した画像データに基づき、原稿３２ａのサイズを検知する。
ここで、本実施の形態において、サイズ検知部３８に入力される画像データは、ユーザにより載置台３２上に原稿３２ａが載置され、プラテンカバー３０が閉じられた場合に、検出器３３から検出信号を取得した制御部１０が、光源３４を発光させることにより、原稿３２ａから反射した反射光に基づきＣＣＤラインセンサ３５が取得した主走査方向に１ラインの画像データである。即ち、この１ラインの画像データが、順次ＡＦＥ３６及びシェーディング補正部３７にて所定の処理を施されて、サイズ検知部３８に入力される。
【００２９】
また、このサイズ検知部３８に入力される１ラインの画像データには、載置台３２上に載置された原稿３２ａからの反射光に基づく画像データと、原稿３２ａの外側の載置台３２からの反射光に基づく画像データとが含まれており、サイズ検知部３８は、この両画像データの相異箇所に基づき、原稿３２ａの主走査方向のサイズ幅を検知することができる。
サイズ検知部３８は、抽出部（抽出手段）３９，平均値算出部４０，差分算出部４１，サイズ決定部４２を備えており、上述のように入力される１ラインの画像データを、該画像データに含まれる複数の画素データ毎に順次抽出部３９にシリアル入力する。
【００３０】
抽出部３９は、順次シリアル入力されるＲ成分，Ｇ成分，Ｂ成分夫々で示された各画素データから、所定の一つの色成分、例えばＧ成分を抽出して平均値算出部４０に入力する。尚、抽出部３９により抽出される一つの色成分は、Ｇ成分に限定されない。本実施の形態におけるサイズ検知部３８は、抽出部３９によりまずＧ成分を抽出し、抽出したＧ成分に基づき、原稿３２ａのサイズを決定するように構成されており、Ｇ成分によってはサイズを決定できない場合に、Ｒ成分，Ｂ成分に基づく原稿３２ａのサイズ検知処理を順次実行するように構成されている。
これは、読み取られる原稿３２ａが有する地色等により、取得した画像データのＧ成分に基づいては、原稿３２ａのサイズを検知することが困難な場合があるためであり、Ｇ成分に基づき原稿３２ａのサイズを検知できない場合には、Ｒ成分又はＢ成分に基づく原稿サイズの検知処理を順次行う。
【００３１】
抽出部３９により抽出されたＧ成分は平均値算出部４０に入力され、平均値算出部４０により、１ライン分の各Ｇ成分について、所定数ずつの平均値を算出し、算出された平均値は順次差分算出部４１に入力される。
また、差分算出部４１は、順次入力される隣り合う平均値の差分値を算出し、この算出された差分値に基づき、サイズ決定部４２が、ＣＣＤラインセンサ３５により取得した画像データの原稿サイズを決定する。
【００３２】
以下に、上述した構成の複合機１による原稿３２ａのサイズ検知処理手順について説明する。図４及び図５は本発明に係る複合機１による原稿３２ａのサイズ検知処理手順を示すフローチャートである。
ユーザは、上述した構成の複合機１を用いて原稿３２ａの原稿画像を複写等するために、複合機１に原稿画像を読み取らせる場合、プラテンカバー３０を開けて原稿３２ａを載置台３２上に載置させて、プラテンカバー３０を閉じる。
【００３３】
プラテンカバー３０が閉じられている状態において、複合機１の読取部３の検出器３３は、プラテンカバー３０が閉じられていることを示す検出信号を制御部１０に送出しており、ユーザによりプラテンカバー３０が開けられた場合（Ｓ１）、検出器３３は、前記検出信号の送出を停止する。制御部１０は、検出器３３からの検出信号を取得しなくなった場合、光源３４等を搭載したキャリッジを所定の待機位置に移動させる（Ｓ２）。
また、ユーザにより載置台３２上に原稿が載置されてプラテンカバー３０が閉じられた場合（Ｓ３）、検出器３３は、プラテンカバー３０が閉じられたことを示す検出信号を制御部１０に送出し、この検出信号を取得した制御部１０は、光源３４を発光させ、読取部３のＣＣＤラインセンサ３５により原稿画像の主走査方向の１ラインの画像データを読み取る（Ｓ４）。
【００３４】
複合機１の読取部３は、ＣＣＤラインセンサ３５により読み取られた１ラインの画像データに、ＡＦＥ３６及びシェーディング補正部３７により所定の処理を施し、サイズ検知部３８に入力する。また、サイズ検知部３８は、取得した１ラインの画像データに含まれる複数の画素データから、抽出部３９により各画素データのＧ成分を抽出し平均値算出部４０に入力する。更に、平均値算出部４０は、１ライン分のＧ成分を所定数毎に区切り、各区分毎に、各区分に含まれる所定数のＧ成分の平均値を算出する（Ｓ５）。
このように各区分毎に算出された平均値は、差分算出部４１に入力され、差分算出部４１により、隣り合う各区分の平均値の差分値を算出し（Ｓ６）、サイズ決定部４２に入力される。
【００３５】
サイズ決定部４２は、上述のように算出された差分値と、予め設定されている所定閾値とを比較し（Ｓ７）、算出された差分値が所定閾値よりも大きいと判断されるまで、ステップＳ６の処理に戻り、順次隣り合う各区分の平均値の差分値を算出する。
ここで、算出された差分値が所定閾値よりも小さい場合、近傍の画素データが近似する値をとることになり、原稿３２ａの主走査方向のエッジを検出していないと判断することができる。一方、算出された差分値が所定閾値よりも大きい場合、近傍の画素データが著しく相異する値をとることになり、原稿３２ａの主走査方向のエッジを検出したと判断することができ、サイズ決定部４２は、この検出したエッジに基づき、原稿３２ａにおける主走査方向のサイズ幅を決定する（Ｓ８）。
【００３６】
次にサイズ決定部４２は、ＲＯＭ１１から、Ａ３，Ｂ４，Ａ４，Ｂ５，Ａ５の各サイズのサイズ幅を読み出し、ステップＳ８で決定したサイズ幅が、Ａ３の記録紙における主走査方向のサイズ幅（Ａ３幅）と一致するか否かを判断し（Ｓ９）、Ａ３のサイズ幅と一致すると判断した場合、読み取られる原稿３２ａのサイズがＡ３サイズであると決定する（Ｓ１０）。
【００３７】
サイズ決定部４２は、決定したサイズ幅が、Ａ３のサイズ幅と一致しないと判断した場合、次にＢ４の記録紙における主走査方向のサイズ幅（Ｂ４幅）と一致するか否かを判断し（Ｓ１１）、Ｂ４のサイズ幅と一致すると判断した場合、読み取られる原稿３２ａのサイズがＢ４サイズであると決定する（Ｓ１２）。
またサイズ決定部４２は、決定したサイズ幅が、Ｂ４のサイズ幅と一致しないと判断した場合、次にＡ４の記録紙における主走査方向のサイズ幅（Ａ４幅）と一致するか否かを判断し（Ｓ１３）、Ａ４のサイズ幅と一致すると判断した場合、読み取られる原稿３２ａのサイズがＡ４サイズであると決定する（Ｓ１４）。
【００３８】
更にサイズ決定部４２は、決定したサイズ幅が、Ａ４のサイズ幅と一致しないと判断した場合、次にＢ５の記録紙における主走査方向のサイズ幅（Ｂ５幅）と一致するか否かを判断し（Ｓ１５）、Ｂ５のサイズ幅と一致すると判断した場合、読み取られる原稿３２ａのサイズがＢ５サイズであると決定する（Ｓ１６）。
最後にサイズ決定部４２は、決定したサイズ幅が、Ｂ５のサイズ幅と一致しないと判断した場合、Ａ５の記録紙における主走査方向のサイズ幅（Ａ５幅）と一致するか否かを判断し（Ｓ１７）、Ａ５のサイズ幅と一致すると判断した場合、読み取られる原稿３２ａのサイズがＡ５サイズであると決定し（Ｓ１８）、Ａ５のサイズ幅と一致しないと判断した場合、読み取られる原稿３２ａのサイズが不明であると判断する（Ｓ１９）。
【００３９】
制御部１０は、上述した処理により、読み取られる原稿３２ａのサイズが決定されたか否かを判断しており（Ｓ２０）、原稿３２ａのサイズが決定されたと判断した場合、原稿３２ａのサイズ検知処理を終了する。
一方、制御部１０が、原稿３２ａのサイズが決定されていないと判断した場合、サイズ検知部３８は、シェーディング補正部３７から取得する１ラインの画像データに含まれる他の成分、例えば、ＲＧＢ表色系の画像データにおいては、Ｒ成分又はＢ成分を用いて、ステップＳ５の処理に戻り、Ｒ成分又はＢ成分について、上述したステップＳ５からＳ１９までの処理を実行することにより、Ｇ成分によっては原稿３２ａのサイズが検知できない場合であっても、他の成分により確実に原稿３２ａのサイズを検知する。
【００４０】
これにより、取得した画像データに含まれる複数の色成分から抽出された一つの色成分に基づき、原稿３２ａのサイズを検知することができるため、サイズ検知部３８を単純な回路構成にて実現することができる。
また、抽出された色成分によっては、原稿３２ａのサイズを検知することが困難な場合には、他の色成分により原稿３２ａのサイズ検知処理を行うことにより、読み取られる原稿３２ａのサイズを確実に検知することができる。
【００４１】
（実施の形態２）
以下に、実施の形態２に係る読取部３の構成について説明する。
図６は実施の形態２の読取部３の構成を示すブロック図であり、この読取部３は、ＣＣＤラインセンサ３５，ＡＦＥ３６，シェーディング補正部３７，色変換部（変換手段）４３，サイズ検知部（検知手段）４４，画像判別部（判別手段）４８を備えている。
尚、複合機１全体の構成については、上述した実施の形態１と同様であるので説明を省略し、読取部３においては、同様の構成であるものについては同一の符号を付して説明を省略する。
【００４２】
本実施の形態の読取部３に備える色変換部４３は、シェーディング補正部３７から入力されたＲＧＢ表色系の画像データを、例えば、Ｌ＊  ａ＊  ｂ＊  表色系（以下、Ｌａｂ表色系という）等の輝度成分及び色差成分を有する表色系の画像データに変換し、得られたＬａｂ表色系の画像データを第１画像メモリ１７に記憶させる。
一方、色変換部４３から出力されるＬａｂ表色系の画像データのうちのＬ成分（輝度成分）は、サイズ検知部４４にも入力されており、サイズ検知部４４において、取得したＬ成分に基づき、原稿３２ａのサイズを検知する。
【００４３】
ここで、サイズ検知部４４に入力されるＬ成分は、ユーザにより載置台３２上に原稿３２ａが載置され、プラテンカバー３０が閉じられた場合に、検出器３３から検出信号を取得した制御部１０が、光源３４を発光させることにより、原稿３２ａから反射した反射光に基づきＣＣＤラインセンサ３５が取得した主走査方向に１ラインの画像データに含まれるＬ成分である。
【００４４】
サイズ検知部４４は、平均値算出部４５，差分算出部４６，サイズ決定部４７を備えており、上述のように入力される１ライン分の画像データのＬ成分を、順次平均値算出部４５に入力する。また、平均値算出部４５は、順次取得する１ライン分のＬ成分について、所定数ずつの平均値を算出し、算出した平均値を順次差分算出部４６に入力する。
更に、差分算出部４６は、順次入力される隣り合う平均値の差分値を算出し、この算出された差分値に基づき、サイズ決定部４７が、ＣＣＤラインセンサ３５により取得した画像データの原稿３２ａのサイズを決定する。
【００４５】
また、色変換部４３により変換されたＬａｂ表色系の画像データのうちのａ成分及びｂ成分（色差成分）は、画像判別部４８に入力され、画像判別部４８は、取得したａ成分及びｂ成分に基づき、原稿３２ａから取得した画像データが、カラー画像データであるかモノクローム画像データであるかを判別する。
これにより、原稿３２ａのサイズを検知するために生成された輝度成分及び色差成分を有するＬａｂ表色系の画像データに基づき、原稿３２ａの原稿画像がカラー画像であるかモノクローム画像であるかを判別することができ、以後の各処理をスムーズに実行することができる。
【００４６】
以下に、上述した構成の複合機１による原稿３２ａのサイズ検知処理手順について説明する。図７及び図８は本発明に係る複合機１による原稿３２ａのサイズ検知処理手順を示すフローチャートである。
ユーザは、上述した構成の複合機１を用いて原稿３２ａの原稿画像を複写等するために、複合機１に原稿画像を読み取らせる場合、プラテンカバー３０を開けて原稿３２ａを載置台３２上に載置させて、プラテンカバー３０を閉じる。
【００４７】
プラテンカバー３０が閉じられている状態において、複合機１の読取部３の検出器３３は、プラテンカバー３０が閉じられていることを示す検出信号を制御部１０に送出しており、ユーザによりプラテンカバー３０が開けられた場合（Ｓ２１）、検出器３３は、前記検出信号の送出を停止する。制御部１０は、検出器３３からの検出信号を取得しなくなった場合、光源３４等を搭載したキャリッジを所定の待機位置に移動させる（Ｓ２２）。
また、ユーザにより載置台３２上に原稿３２ａが載置されてプラテンカバー３０が閉じられた場合（Ｓ２３）、検出器３３は、プラテンカバー３０が閉じられたことを示す検出信号を制御部１０に送出し、この検出信号を取得した制御部１０は、光源３４を発光させ、読取部３のＣＣＤラインセンサ３５により原稿画像の主走査方向の１ラインの画像データを読み取る（Ｓ２４）。
【００４８】
複合機１の読取部３は、ＣＣＤラインセンサ３５により読み取られた１ラインの画像データに、ＡＦＥ３６及びシェーディング補正部３７により所定の処理を施し、更に色変換部４３により、Ｌａｂ表色系の画像データに色変換し（Ｓ２５）、得られたＬａｂ表色系の画像データのうちのＬ成分をサイズ検知部４４の平均値算出部４５に入力する。
また平均値算出部４５は、取得した１ライン分のＬ成分を所定数毎に区切り、各区分毎に、各区分に含まれる所定数のＬ成分の平均値を算出する（Ｓ２６）。
【００４９】
このように各区分毎に算出された平均値は、差分算出部４６に入力され、差分算出部４６は、順次取得する平均値において、隣り合う各区分の平均値の差分値を算出し（Ｓ２７）、サイズ決定部４７に入力する。
サイズ決定部４７は、上述のように算出された差分値と、予め設定されている所定閾値とを比較し（Ｓ２８）、算出された差分値が所定閾値よりも大きいと判断されるまで、ステップＳ２７の処理に戻り、順次隣り合う各区分の平均値の差分値を算出する。
【００５０】
ここで、算出された差分値が所定閾値よりも小さい場合、近傍の画素データが近似する値をとることになり、原稿３２ａの主走査方向のエッジを検出していないと判断することができる。
一方、算出された差分値が所定閾値よりも大きい場合、近傍の画素データが著しく相異する値をとることになり、原稿３２ａの主走査方向のエッジを検出したと判断することができ、サイズ決定部４７は、この検出したエッジに基づき、原稿画像の主走査方向のサイズ幅を決定する（Ｓ２９）。
【００５１】
次にサイズ決定部４７は、ＲＯＭ１１から、Ａ３，Ｂ４，Ａ４，Ｂ５の各サイズのサイズ幅を読み出し、ステップＳ２９で決定したサイズ幅が、Ａ３の記録紙における主走査方向のサイズ幅（Ａ３幅）と一致するか否かを判断し（Ｓ３０）、Ａ３のサイズ幅と一致すると判断した場合、読み取られる原稿３２ａのサイズがＡ３サイズであると決定する（Ｓ３１）。
サイズ決定部４７は、決定したサイズ幅が、Ａ３のサイズ幅と一致しないと判断した場合、次にＢ４の記録紙における主走査方向のサイズ幅（Ｂ４幅）と一致するか否かを判断し（Ｓ３２）、Ｂ４のサイズ幅と一致すると判断した場合、読み取られる原稿３２ａのサイズがＢ４サイズであると決定する（Ｓ３３）。
【００５２】
またサイズ決定部４２は、決定したサイズ幅が、Ｂ４のサイズ幅と一致しないと判断した場合、次にＡ４の記録紙における主走査方向のサイズ幅（Ａ４幅）と一致するか否かを判断し（Ｓ３４）、Ａ４のサイズ幅と一致すると判断した場合、読み取られる原稿３２ａのサイズがＡ４サイズであると決定する（Ｓ３５）。更にサイズ決定部４７は、決定したサイズ幅が、Ａ４のサイズ幅と一致しない
と判断した場合、次にＢ５の記録紙における主走査方向のサイズ幅（Ｂ５幅）と一致するか否かを判断し（Ｓ３６）、Ｂ５のサイズ幅と一致すると判断した場合、読み取られる原稿３２ａのサイズがＢ５サイズであると決定し（Ｓ３７）、Ｂ５のサイズ幅と一致しないと判断した場合、読み取られる原稿３２ａのサイズがＡ５サイズであると決定し（Ｓ３８）、原稿３２ａのサイズ検知処理を終了する。
【００５３】
上述したように、取得したＲＧＢ表色系の画像データを、輝度成分を有するＬａｂ表色系の画像データに変換し、このＬａｂ表色系の画像データが有するＬ成分（輝度成分）に基づき、原稿３２ａのサイズを検知することにより、読み取られる原稿３２ａの地色に関わらず、原稿３２ａのサイズを確実に検知することができる。
また、上述のように、取得したＲＧＢ表色系の画像データを色変換することにより得られるＬａｂ表色系の画像データを用い、このＬａｂ表色系の画像データのうちの色差成分であるａ成分及びｂ成分に基づき、読み取られる原稿画像が、カラー画像であるかモノクローム画像であるかを容易に判別することもできる。
従って、上述したような原稿３２ａのサイズ検出と並行して、読み取られる原稿画像がカラー画像であるかモノクローム画像であるかを判別しておくことにより、例えば、読み取った画像データを記憶しておくメモリ容量の管理等、以後の各処理をスムーズに実行することができる。
【００５４】
【発明の効果】
第１発明による場合は、読み取った複数の色成分を有する画像データから、所定の色成分を抽出し、抽出された色成分に基づき、原稿画像のサイズを検知することにより、原稿サイズ検知センサ等を別途に設ける必要がなく、複数の色成分を有する画像データに対して煩雑な演算処理を施す必要もなく、単純な回路構成により迅速に原稿画像のサイズを検知することができる。
【００５５】
第２発明による場合は、取得した複数の色成分を有する画像データを、輝度成分及び色差成分を有する画像データに変換して得られた画像データの輝度成分に基づき、原稿画像のサイズを検知することにより、複数の色成分を有する画像データに対して煩雑な演算処理を施す必要がなく、変換して得られた画像データの輝度情報に基づき、原稿自体が有する地色等の色成分には依存せず、原稿画像のサイズを確実に検知することができる。
【００５６】
第３発明による場合は、取得した複数の色成分を有する画像データを変換して得られた画像データの色差成分に基づき、取得した画像データが、カラー画像データであるかモノクローム画像データであるかを判別することにより、輝度成分に基づく原稿画像のサイズ検知処理のために生成された輝度成分及び色差成分を有する画像データに基づき、カラー画像であるかモノクローム画像であるかを判断することができ、以後の各処理をスムーズに実行することができる。
【図面の簡単な説明】
【図１】本発明に係る読取部を備える複合機の構成を示すブロック図である。
【図２】本発明に係る読取部を示す外観斜視図である。
【図３】実施の形態１の読取部の構成を示すブロック図である。
【図４】本発明に係る複合機による原稿のサイズ検知処理手順を示すフローチャートである。
【図５】本発明に係る複合機による原稿のサイズ検知処理手順を示すフローチャートである。
【図６】実施の形態２の読取部の構成を示すブロック図である。
【図７】本発明に係る複合機による原稿のサイズ検知処理手順を示すフローチャートである。
【図８】本発明に係る複合機による原稿のサイズ検知処理手順を示すフローチャートである。
【符号の説明】
１  複合機
３  読取部（画像読取装置）
３８，４４  サイズ検知部（検知手段）
３９    抽出部（抽出手段）
４３  色変換部（変換手段）
４８  画像判別部（判別手段）
【図１】
2004159003.tif 000003
【図２】
2004159003.tif 000004
【図３】
2004159003.tif 000005
【図４】
2004159003.tif 000006
【図５】
2004159003.tif 000007
【図６】
2004159003.tif 000008
【図７】
2004159003.tif 000009
【図８】
2004159003.tif 000010